【手続補正書】
【提出日】平成18年7月21日(2006.7.21)
【手続補正１】
【補正対象書類名】明細書
【補正対象項目名】発明の名称
【補正方法】変更
【補正の内容】
【発明の名称】通信装置、トランスポートストリーム記録方法、プログラム、及び記憶媒体
【手続補正２】
【補正対象書類名】明細書
【補正対象項目名】特許請求の範囲
【補正方法】変更
【補正の内容】
【特許請求の範囲】
【請求項１】  番組仕様情報テーブルとパケット識別子を含む多重化されたトランスポートストリームデータを通信媒体を介して受信可能な通信装置において、
前記通信媒体を介して受信した前記トランスポートストリームデータから前記番組仕様情報テーブルを抽出する抽出手段と、
前記トランスポートストリームデータの蓄積要求時に前記抽出された前記番組仕様情報テーブルを前記トランスポートストリームデータの先頭に書き込むと共に、前記番組仕様情報テーブルに連続して前記トランスポートストリームデータを書き込む書込手段と、
を備えることを特徴とする通信装置。
【請求項２】  前記抽出手段は、前記トランスポートストリームデータの蓄積要求前に前記パケット識別子を判別することで前記番組仕様情報テーブルを抽出することを特徴とする請求項１記載の通信装置。
【請求項３】  前記抽出手段により抽出した前記番組仕様情報テーブルを保存する保存手段を備え、前記書込手段は、前記トランスポートストリームデータの蓄積要求時に、指定された番組番号に対応する前記番組仕様情報テーブルを前記保存手段から検索することを特徴とする請求項１記載の通信装置。
【請求項４】  前記記録手段に記録された前記トランスポートストリームデータを復号し再生する復号手段を備えることを特徴とする請求項１記載の通信装置。
【請求項５】  前記復号手段は、前記トランスポートストリームデータを復号し映像データとして再生する映像用復号手段と、前記トランスポートストリームデータを復号し音声データとして再生する音声用復号手段とを備えることを特徴とする請求項４記載の通信装置。
【請求項６】  前記記録手段に記録された前記トランスポートストリームデータを前記通信媒体を介して外部の復号手段に送信すると共に前記外部の復号手段により復号し再生することが可能であることを特徴とする請求項１記載の通信装置。
【請求項７】  前記記録手段は、前記通信装置内に装備されていることを特徴とする請求項１記載の通信装置。
【請求項８】  番組仕様情報テーブルとパケット識別子を含む多重化されたトランスポートストリームデータを通信媒体を介して受信可能な通信装置により実行されるトランスポートストリーム記録方法において、
前記通信媒体を介して受信した前記トランスポートストリームデータから前記番組仕様情報テーブルを抽出する抽出工程と、
前記トランスポートストリームデータの蓄積要求時に前記抽出された前記番組仕様情報テーブルを前記トランスポートストリームデータの先頭に書き込むと共に、前記番組仕様情報テーブルに連続して前記トランスポートストリームデータを書き込む書込工程と、を備えることを特徴とするトランスポートストリーム記録方法。
【請求項９】  番組仕様情報テーブルとパケット識別子を含む多重化されたトランスポートストリームデータを通信媒体を介して受信可能な通信装置によりトランスポートストリーム記録方法を実行するプログラムにおいて、
前記通信媒体を介して受信した前記トランスポートストリームデータから前記番組仕様情報テーブルを抽出する抽出機能と、
前記トランスポートストリームデータの蓄積要求時に前記抽出された前記番組仕様情報テーブルを前記トランスポートストリームデータの先頭に書き込むと共に、前記番組仕様情報テーブルに連続して前記トランスポートストリームデータを書き込む書込機能を、コンピュータに実現させるためのプログラム。
【請求項１０】  番組仕様情報テーブルとパケット識別子を含む多重化されたトランスポートストリームデータを通信媒体を介して受信可能な通信装置によりトランスポートストリーム記録方法を実行するプログラムを記憶したコンピュータにより読み出し可能な記憶媒体において、
前記プログラムは、
前記通信媒体を介して受信した前記トランスポートストリームデータから前記番組仕様情報テーブルを抽出する抽出ステップと、
前記トランスポートストリームデータの蓄積要求時に前記抽出された前記番組仕様情報テーブルを前記トランスポートストリームデータの先頭に書き込むと共に、前記番組仕様情報テーブルに連続して前記トランスポートストリームデータを書き込む書込ステップと、を備えることを特徴とする記憶媒体。
【手続補正３】
【補正対象書類名】明細書
【補正対象項目名】０００１
【補正方法】変更
【補正の内容】
【０００１】
【発明の属する技術分野】
本発明は、ネットワークを介して通信を行う通信装置、トランスポートストリーム記録方法、プログラム、及び記憶媒体に関し、特に、前記ネットワークを介して受信した多重化されたトランスポートストリームを記録する場合に適用して好適な通信装置、トランスポートストリーム記録方法、プログラム、及び記憶媒体に関する。
【手続補正４】
【補正対象書類名】明細書
【補正対象項目名】０００９
【補正方法】変更
【補正の内容】
【０００９】
本発明の目的は、映像データの記録開始要求直後の映像が一部欠けて再生されること解消することを可能とした通信装置、トランスポートストリーム記録方法、プログラム、及び記憶媒体を提供することにある。
【手続補正５】
【補正対象書類名】明細書
【補正対象項目名】００１０
【補正方法】変更
【補正の内容】
【００１０】
【課題を解決するための手段】
上述の目的を達成するため、本発明は、番組仕様情報テーブルとパケット識別子を含む多重化されたトランスポートストリームデータを通信媒体を介して受信可能な通信装置において、前記通信媒体を介して受信した前記トランスポートストリームデータから前記番組仕様情報テーブルを抽出する抽出手段と、前記トランスポートストリームデータの蓄積要求時に前記抽出された前記番組仕様情報テーブルを前記トランスポートストリームデータの先頭に書き込むと共に、前記番組仕様情報テーブルに連続して前記トランスポートストリームデータを書き込む書込手段と、を備えることを特徴とする。
【手続補正６】
【補正対象書類名】明細書
【補正対象項目名】００５６
【補正方法】変更
【補正の内容】
【００５６】
【発明の効果】
以上説明したように、本発明によれば、次のような効果を奏する。
【手続補正７】
【補正対象書類名】明細書
【補正対象項目名】００５８
【補正方法】変更
【補正の内容】
【００５８】
これに対し、本発明では、上述したように、トランスポートストリームデータの蓄積要求時に抽出された番組仕様情報テーブルをトランスポートストリームデータの先頭に書き込むと共に、番組仕様情報テーブルに連続してトランスポートストリームデータを書き込むため、記録手段に記録されたトランスポートストリームデータの中に、廃棄され再生されないパケットを含まない。
【手続補正８】
【補正対象書類名】明細書
【補正対象項目名】００５９
【補正方法】変更
【補正の内容】
【００５９】
また、記録手段に記録されたトランスポートストリームデータを、再生する場合、先頭のパケット以降すべてのパケットを再生することが可能である。即ち、映像データの記録開始要求直後の映像が一部欠けて再生されることはないという効果がある。
【手続補正９】
【補正対象書類名】明細書
【補正対象項目名】符号の説明
【補正方法】変更
【補正の内容】
【符号の説明】
１  ネットワーク（通信媒体）
１０  ネットワークインタフェース部
１１  ネットワークコントローラ部
１２  メモリ（保存手段）
１３  TS記録装置（記録手段）
１４  ＣＰＵ（抽出手段、書込手段）
１５  TS復号器
１６  映像復号器（映像用復号手段）
１７  音声復号器（音声用復号手段）
１８  MPEG2-TSデコーダ（復号手段）
２０  TS送受信機器（通信装置）